(57)【要約】【課題】光照射手段による電力消費量を抑えることができ、かつ、リモコンが眩しくなる程に過度に照射されることを防止することができるリモコンユニットを提供する。【解決手段】リモコン１０と、リモコン１０によって操作される機器を備えた便座ボックス２とを有するリモコンユニット。便座ボックス２は、リモコン１０に向けて光を照射する光照射部６を備えており、リモコン１０は、受光した光を太陽電池１４で光電変換して蓄電する蓄電手段を備えている。リモコンユニットは照度センサ８を有しており、光照射手段６は、照度センサ８の検知照度に応じて光照射強度を調節する。照度センサ８の検知照度が大きいほど光照射部６の光照射強度を小さくし、光照射部６の電力消費量を減少させる。【選択図】図１
2011259287.tif 000002
【特許請求の範囲】
【請求項１】
リモコンと、該リモコンによって操作される機器を備えた本体部とを有するリモコンユニットにおいて、
該本体部は、該リモコンに向けて光を照射する光照射手段を備えており、
該リモコンは、受光した光を光電変換手段で光電変換して蓄電する蓄電手段を備えているリモコンユニットであって、
該リモコンユニットは照度検知センサを有しており、
該照度検知センサの検知照度に応じて該光照射手段の光照射強度を制御する制御手段を備えたことを特徴とするリモコンユニット。
【請求項２】
請求項１において、前記制御手段は、該照度検知センサの検知照度が高いほど光照射強度を小さくすることを特徴とするリモコンユニット。
【請求項３】
請求項１又は２において、前記照度検知センサが前記本体部に設けられていることを特徴とするリモコンユニット。
【請求項４】
請求項１又は２において、前記照度検知センサが前記リモコンに設けられていることを特徴とするリモコンユニット。
【請求項５】
請求項４において、前記光電変換手段が前記照度検知センサを兼ねることを特徴とするリモコンユニット。
【請求項６】
請求項４又は５において、前記リモコンは、前記照度検知センサの検知照度信号を前記本体部に送信する送信手段を有することを特徴とするリモコンユニット。
【請求項７】
請求項６において、前記送信手段は、前記検知照度信号を間欠的に前記本体部に送信することを特徴とするリモコンユニット。
【請求項８】
請求項６又は７において、前記制御手段は、前記照度検知センサの検知照度が所定値又は所定範囲となるように前記光照射手段の光照射強度を制御することを特徴とするリモコンユニット。
【発明の詳細な説明】
【技術分野】
【０００１】
本発明は、リモコンと、該リモコンによって操作される機器を有した本体部とを有するリモコンユニットに係り、特に本体部からリモコンに向けて光を照射可能なリモコンユニットに関する。
【背景技術】
【０００２】
特開２００４−１４０６３７号公報には、リモコンの電池として太陽電池を採用することにより、電池の交換を不要とすることが記載されている（第０００８段落）。このようにリモコンの電池として太陽電池を採用した場合、リモコンの設置場所が暗いと、太陽電池が十分に発電することができない。
【０００３】
特開平５−１４９７８号公報には、太陽電池を備えたリモコン（コマンダ）と、該リモコンが装着される常置場所と、該太陽電池に対して光を照射する常置場所照明用ライトとを備えたリモコン装置が記載されている。このリモコンを該常置場所に装着すると、プッシュスイッチがオンとなり、該ライトから該太陽電池に向けて光が照射され、太陽電池による発電が行われる（第００１７段落）。
【先行技術文献】
【特許文献】
【０００４】
【特許文献１】特開２００４−１４０６３７号公報
【特許文献２】特開平５−１４９７８号公報
【発明の概要】
【発明が解決しようとする課題】
【０００５】
特許文献２のリモコン装置によると、リモコンを常置場所に装着したときに、周辺の明るさとは無関係に、常置場所照明用ライトがリモコンの太陽電池に向けて光を照射する。このため、周辺が十分に明るい場合にも該ライトが光を照射することになり、ライトの消費電力が無駄になる。また、リモコン近傍の人にとって眩しくなるおそれがある。
【０００６】
本発明は、光照射手段による電力消費量を減少させることができ、かつ、リモコンに光が過剰に照射されることを防止することができるリモコンユニットを提供することを目的とする。
【課題を解決するための手段】
【０００７】
本発明（請求項１）のリモコンユニットは、リモコンと、該リモコンによって操作される機器を備えた本体部とを有するリモコンユニットにおいて、該本体部は、該リモコンに向けて光を照射する光照射手段を備えており、該リモコンは、受光した光を光電変換手段で光電変換して蓄電する蓄電手段を備えているリモコンユニットであって、該リモコンユニットは照度検知センサを有しており、該照度検知センサの検知照度に応じて該光照射手段の光照射強度を制御する制御手段を備えたことを特徴とするものである。
【０００８】
請求項２のリモコンユニットは、請求項１において、前記制御手段は、該照度検知センサの検知照度が高いほど光照射強度を小さくすることを特徴とするものである。
【０００９】
請求項３のリモコンユニットは、請求項１又は２において、前記照度検知センサが前記本体部に設けられていることを特徴とするものである。
【００１０】
請求項４のリモコンユニットは、請求項１又は２において、前記照度検知センサが前記リモコンに設けられていることを特徴とするものである。
【００１１】
請求項５のリモコンユニットは、請求項４において、前記光電変換手段が前記照度検知センサを兼ねることを特徴とするものである。
【００１２】
請求項６のリモコンユニットは、請求項４又は５において、前記リモコンは、前記照度検知センサの検知照度信号を前記本体部に送信する送信手段を有することを特徴とするものである。
【００１３】
請求項７のリモコンユニットは、請求項６において、前記送信手段は、前記検知照度信号を間欠的に前記本体部に送信することを特徴とするものである。
【００１４】
請求項８のリモコンユニットは、請求項６又は７において、前記制御手段は、前記照度検知センサの検知照度が所定値又は所定範囲となるように前記光照射手段の光照射強度を制御することを特徴とするものである。
【発明の効果】
【００１５】
本発明（請求項１）のリモコンユニットにあっては、照度センサの検知照度に応じて光照射手段の光照射強度が調節される。例えば、照度検知センサの検知照度が高いほど、光照射強度を小さくする。これにより、光照射手段による電力消費量を減少させることができると共に、リモコンに光が過剰に照射されてリモコン付近の人に眩しく感取されることが防止される。
【００１６】
この照度センサは、本体部に設けられてもよい。この場合、本体部の電源から照度センサに対して電力を供給することができるため、照度センサの作動のためにリモコンの蓄電手段の電力が消費されることが防止される。
【００１７】
また、この照度センサは、リモコンに設けられてもよい。この場合、リモコン周辺の照度を検知するため、光照射手段の光照射強度を的確に調節することができる。
【００１８】
この場合、太陽電池等の光電変換手段が照度センサを兼ねてもよい。これにより、部品点数の低減を図ることができる。
【００１９】
また、リモコンは、照度センサの検知照度信号を前記本体部に向けて送信する送信手段を有していてもよい。本体部では、送信されてきた照度信号に基づいて光照射強度を調節する。この照度信号を連続的ではなく間欠的に送信することにより、通信に消費される電力が低減される。
【００２０】
このリモコンからの検知照度信号に基づいて、リモコンに照射される光の強度が所定値又は所定範囲となるように光照射手段の光照射強度を制御してもよい。これにより光照射手段の光照射量の過不足を解消することができる。
【図面の簡単な説明】
【００２１】
【図１】実施の形態に係るリモコンユニットが設置されたトイレルーム内の斜視図である。視図である。
【図２】第１図のリモコンユニットの便座ボックス側の制御ブロック図である。
【図３】異なる実施の形態に係るリモコンユニットが設置されたトイレルーム内の斜視図である。
【発明を実施するための形態】
【００２２】
＜第１の実施の形態＞
以下、図面を参照して実施の形態について説明する。第１図は実施の形態に係るリモコンユニットが設置されたトイレルーム内の斜視図、第２図は第１図のリモコンユニットの便座ボックス側の制御ブロック図である。
【００２３】
本実施の形態に係るリモコンユニットは、温水洗浄装置等の機器を搭載した本体部としての便座ボックス２と、リモコン１０とからなっている。このリモコン１０から便座ボックス２に向って、シャワー動作信号（人体臀部洗浄動作信号）、ビデ動作信号、又はストップ信号（シャワー又はビデ動作を停止させる信号）が送信される。
【００２４】
第１図の通り、洋風便器１の後部上面に便座ボックス２が設置され、この便座ボックス２に便座３及び便蓋４が起倒自在に枢支されている。この便座ボックス２の右側面（便器着座者にとっての右側面。以下、同様。）には手動式フラッシュハンドル５が設けられている。
【００２５】
この便座ボックス２の左側の上角縁には、リモコン１０に向けて光を照射する光照射部６と、リモコン１０と送受信を行うための送受信部７とが設けられている。該光照射部６には、ＬＥＤなどの発光体が設置されている。便座ボックス２の上面には、周辺の照度を検知する照度検知センサ８が設けられている。便座ボックス２の右側の上角縁には、トイレルーム内に入室した人体を検知する人体検知センサ９が設けられている。
【００２６】
便座ボックス２内の電気回路は、図示しないコード、プラグを介して商用電源（ＡＣ１００Ｖ）から給電される。この洋風便器１は、図示しないホース及び止水栓を介して水道水が供給可能とされている。図示は省略するが、この便座ボックス２内には、後述するリモコンのスイッチ操作によって作動するシャワーノズル及びビデノズルが設けられている。また、便座ボックス２には、上記光照射部６、送受信部７、照度検知センサ８、人体検知センサ９、第２図に示す制御回路２０等が設けられている。
【００２７】
トイレルームの壁面にリモコン１０が設置されている。このリモコン１０の前面上半部に、シャワースイッチ１１、ビデスイッチ１２、停止スイッチ１３が設けられている。このリモコン１０の前面右側に、便座ボックス２との送受信を行うための送受信部１５が設けられている。このリモコン１０の前面下半部に、太陽電池（光電変換手段）１４が設けられている。この太陽電池１４で発電した電力は、リモコン１０内の図示しない蓄電手段に蓄電される。なお、太陽電池１４の前面には透明なパネル（図示略）が設けられている。リモコン１０には、洋風便器１に洗浄水を供給するフラッシュスイッチなど、その他の各種スイッチが設けられてもよい。
【００２８】
このように構成されたリモコンユニットの動作例について以下に説明する。
【００２９】
使用者がトイレルーム内に入室すると、人体検知センサ９が人体を検知し、便座ボックス２内の制御回路２０に人体検知信号を出力する。制御回路２０は、この信号の入力があると、照度検知センサ８の検知照度を読み込み、これに応じて光照射部６内の発光体の発光強度を設定し、この設定値にて該光照射部６からリモコン１０に向けて光を照射させる。
【００３０】
この制御回路２０は、照度検知センサ８の検知照度が高いほど発光体の発光強度を小さくするように発光体の光照射強度を制御するのが好ましい。具体的には、検知照度に反比例させて発光体の光照射強度を連続的に（線形の関係にて）変化させるのが好ましい。また、検知照度を多段階に区切り、検知照度が高い段階ほど発光体の光照射強度を小さくする多段階の反比例調節を行ってもよい。また、検知信号が所定値以上のときには光照射を停止し、所定値よりも低いときには、検知信号に反比例させるように照射強度を制御してもよい。検知照度が規定値よりも低いときには光照射強度を一定値とし、検知照度がこの規定値以上であるときには、照射強度を検知照度に反比例させるように照射強度を制御してもよい。
【００３１】
この照度検知センサ８による照度検知は、人体検知センサ９が人体を検知したときに１回のみ行ってもよいが、間欠的に照度検知を行い、その都度、光照射部６内の発光体の出力の調節を行ってもよい。これにより、トイレルーム内への入室後に該トイレルーム内の照度が変化したときに、光照射部６内の発光体の出力を速やかに調節することができる。また、照度検知センサ８による照度検知を間欠的に行うことにより、連続的に行う場合と比べ、消費電力が少なくなる。
【００３２】
使用者がリモコン１０のスイッチ１１又はスイッチ１２を操作すると、リモコン１０の送受信部１５が操作信号を発信する。便座ボックス２の送受信部７がこの発信信号を受信して制御回路２０に出力し、制御回路２０の制御によりシャワー洗浄又はビデ洗浄が行われる。使用者がリモコン１０の停止スイッチ１３を操作すると、リモコン１０の送受信部１５が操作信号を発信する。便座ボックス２の送受信部７がこの発信信号を受信して制御回路２０に出力し、制御回路２０の制御によりシャワー洗浄又はビデ洗浄が停止される。
【００３３】
使用者がトイレルームから退出すると、人体検知センサ９が人体非検知となり、制御回路２０は、光照射部６の発光体の光照射を停止させる。
【００３４】
本実施の形態によると、トイレルーム内の照度に応じて光照射部６からの光照射強度が調節されるため、リモコン１０周辺の照度を所望の範囲内にすることができる。これにより、太陽電池１４による発電を安定して行うことができ、かつ、光照射部６の発光体による電力消費量を抑えることができる。また、リモコン１０に光が過剰に照射されて使用者が眩しい思いをしたり、反対にリモコン１０への光照射量が不足してリモコン１０の蓄電量が不足したりすることが防止される。本実施の形態では、照射検知センサ８が便座ボックス２に設けられているため、照射検知センサ８用の電力を上記商用電源（ＡＣ１００Ｖ）から給電することができる。
【００３５】
＜別の制御例＞  
上記の制御例では、照度検知センサ９の検知照度にのみ基づいて発光体の発光強度を制御しているが、さらにリモコン１０側の受光強度にも基づいて発光体の発光強度を制御してもよい。この制御例について次に説明する。
【００３６】
この制御例では、リモコン１０は、太陽電池１４の受光強度を便座ボックス２の送受信部７に向って送信可能とされている。
【００３７】
この制御例でも、上記制御例と同様に、トイレルームへの人体入室が検知されると、そのときの照度検知センサ８の検知照度に基づいた発光強度にて発光体を発光させる。この光が太陽電池１４で受光されたときの受光強度をリモコン１０の送受信部１５から便座ボックス２の送受信部７へ送信する。便座ボックス２の制御回路２０では、この送信されてきた太陽電池１４の受光強度が所定値又は所定範囲となるように発光体の発光強度を制御する。これ以降は、このように太陽電池１４の受光強度が所定値又は所定範囲となるように発光体の発光強度を太陽電池１４の受光強度に基づいてフィードバック制御する。人体が人体検知センサ９で検知されなくなるまでこのフィードバック制御を行い、人体が該センサ９で検知されなくなったならば、発光体の発光を停止する。
【００３８】
なお、太陽電池１４の受光強度信号は、リモコン１０の送受信部１５から便座ボックス２の送受信部７へ連続的に送信されてもよく、間欠的に送信されてもよい。
【００３９】
＜第２の実施の形態＞
第３図は、第２の実施の形態に係るリモコンユニットが設置されたトイレルーム内の斜視図である。第３図のリモコンユニットは、第１図及び第２図のリモコンユニットにおいて、便座ボックス２の照射検知センサ８を省略し、かつ、リモコン１０に照射検知センサ１６を設けたものであり、同一符号は同一部分を示している。
【００４０】
このように構成されたリモコンユニットの動作例について以下に説明する。
【００４１】
使用者がトイレルーム内に入室すると、人体検知センサ９が人体を検知し、便座ボックス２内の制御回路２０に人体検知信号を出力する。制御回路２０は、この信号の入力があると、送受信部７からリモコン１０に向けて人体検知信号を送信させる。
【００４２】
この人体検知信号をリモコン１０の送受信部１５が受信すると、該送受信部１５は、リモコン１０の照度検知センサ１６の検知照度を、便座ボックス２の送受信部７へ送信する。
【００４３】
便座ボックス２の送受信部７がこの検知照度を受信すると、制御回路２０に該検知照度を出力する。制御回路２０は、この検知照度の入力があると、この検知照度に応じて光照射部６内の発光体の発光強度を設定し、この設定値にて該光照射部６からリモコン１０に向けて光を照射させる。
【００４４】
本動作例においても、制御回路２０は、照度検知センサ１６の検知照度が高いほど発光体の発光強度を小さくするように発光体の光照射強度を制御するのが好ましい。また、この照度検知センサ１６による照度検知は、人体検知センサ９が人体を検知したときに１回のみ行ってもよいが、間欠的に照度検知を行い、その都度、光照射部６内の発光体の出力の調節を行ってもよい。さらに、太陽電池１４の受光強度に基づいてフィードバック制御を行ってもよい。
【００４５】
本動作例によっても、トイレルーム内の照度に応じて光照射部６からの光照射強度が調節されるため、リモコン１０周辺の照度を所望の範囲内にすることができる。これにより、太陽電池１４による発電を安定して行うことができ、かつ、光照射部６の発光体による電力消費量を抑えることができる。また、リモコン１０に光が過剰に照射されて使用者が眩しい思いをしたり、反対にリモコン１０への光照射量が不足してリモコン１０の蓄電量が不足したりすることが防止される。特に本動作例では、照度検知センサ１６がリモコン１０側に設けられている。これにより、この照度検知センサ１６がリモコン１０周辺の照度を検知するため、光照射部７の発光体の光照射強度を的確に調節することができる。
【００４６】
＜別の制御例＞
上記の制御例では、発光体の発光強度が発光開始時点で既に調節されているが、先ず所定の発光強度にて発光を開始し、次いで発光強度を調節してもよい。この制御例について次に説明する。
【００４７】
この制御例でも、使用者がトイレルーム内に入室すると、人体検知センサ９が人体を検知し、便座ボックス２内の制御回路２０に人体検知信号を出力する。次いで本制御例では（上記制御例とは異なり）、制御回路２０にこの人体検知信号の入力があると、制御回路２０が光照射部６内の発光体の発光強度を予め記憶された初期値に設定し、この初期値にて該光照射部６からリモコン１０に向けて光を照射させる。
【００４８】
この初期値は、室内灯や太陽光がリモコン１０に照射されているときにさらに光照射部６から光を照射したとしても、リモコン１０近傍の人に眩しく感取されない程度であるのが好ましい。
【００４９】
この光照射部６からの光をリモコン１０の太陽電池１４が受光すると、リモコン１０の送受信部１５は、照度検知センサ１６の検知照度を、便座ボックス２の送受信部７へ送信する。
【００５０】
便座ボックス２の送受信部７がこの検知照度を受信すると、制御回路２０に該検知照度を出力する。制御回路２０は、この検知照度の入力があると、この検知照度に応じて光照射部６内の発光体の発光強度を設定し、この設定値にて該光照射部６からリモコン１０に向けて光を照射させる。
【００５１】
その後は、第１の実施の形態と同様に、照度検知センサ１６による照度検知を間欠的又は連続的に行って発光部６内の発光強度を調節してもよく、太陽電池１４の受光強度に基づいてフィードバック制御を行ってもよい。
【００５２】
本制御例では、便座ボックス２の人体検知センサ９が人体を検知すると、リモコン１０からの照度信号を受信する前に、光照射部６がリモコン１０に向って光を照射する。これにより、リモコン１０が速やかに照らされて視認される。また、便座ボックス２の送受信部７からの人体検知信号の送信を省略することができる。
【００５３】
さらに本制御例では、人体検知時にリモコン１０の蓄電量が不足していたとしても、リモコン１０が確実に動作する。すなわち、人体検知時には、便座ボックス２の光照射部６からリモコン１０に向って光が照射され、太陽電池１４が受光して発電する。これにより、リモコン１０の蓄電量が増加するため、蓄電量不足でリモコン１０が動作しないことが確実に防止される。
【００５４】
本実施の形態では、太陽電池１４とは別に照度検知センサ１６を設けたが、この照度検知センサ１６を省略し、太陽電池１４を照度センサとして用いてもよい。これにより、部品点数が少なくなり、コスト低減を図ることができる。
【００５５】
本発明では、リモコンの太陽電池を覆うプレートの表面に、斜めに入射する光をプレート表面で反射させることなく該プレート内に取り込み、太陽電池に向けて透過させるための多数の微細な凹凸形状部を設けてもよい。このような凹凸形状としては、プリズム形、四角錐形、円錐形などが例示される。プレート面を平坦とした場合の平坦面と、該凹凸形状の斜面との交差角度は５〜８５°特に４５〜８５°程度であることが好ましい。
【符号の説明】
【００５６】
１  洋風便器
２  便座ボックス
３  便座
４  便蓋
５  手動式フラッシュハンドル
６  光照射部
７  送受信部
８  照度検知センサ
９  人体検知センサ
１０  リモコン
１１〜１３  スイッチ
１４  太陽電池
１５  送受信部
１６  照度検知センサ
２０  制御回路
【図１】
2011259287.tif 000003
【図２】
2011259287.tif 000004
【図３】
2011259287.tif 000005